(57)【要約】【課題】  簡便な手段により被保冷体や被保温体を長時間保冷又は保温でき、生産地から遠隔地まで被保冷体や被保温体をそのままの状態で搬送できる保冷・保温用通い箱及び貯蔵箱及びこの箱による被保冷体又は被保温体の保冷又は保温方法を提供する。【解決手段】  断熱材のケース本体１の内部を断熱材の仕切板２により上室３と下室４に画成し、上室３内には蓄冷剤５ａ又は蓄温剤を収納し、下室４には被保冷体６又は被保温体を収納する。これにより、被保冷体６等を長時間保冷又は保温することができる。【選択図】  図１
2010120673.tif 000002
【特許請求の範囲】
【請求項１】
搬送される被保冷体又は被保温体と保冷剤又は保温剤とを夫々に収納する通い箱及び貯蔵箱であって、該通い箱及び貯蔵箱は、開閉可能の密閉のケースからなり、前記被保冷体又は被保温体を収納する室とこれ等の冷却又は加温を行う前記保冷剤又は保温剤を収納する室とを画成する断熱材の仕切板が前記ケースの内部に配設されることを特徴とする保冷・保温用通い箱及び貯蔵箱。
【請求項２】
前記保冷剤が０℃以下で融解潜熱をもつ蓄冷剤からなり、前記保温剤が０℃以上で融解潜熱をもつ蓄温剤からなることを特徴とする請求項１に記載の保冷・保温用通い箱及び貯蔵箱。
【請求項３】
前記保冷・保温用通い箱及び貯蔵箱は、全体が断熱材から形成されることを特徴とする請求項１又は２に記載の保冷・保温用通い箱及び貯蔵箱。
【請求項４】
断熱材の前記仕切板には適度の冷温を伝える薄板材又は小孔が形成されることを特徴とする請求項１乃至３のいずれかに記載の保冷・保温用通い箱及び貯蔵箱。
【請求項５】
請求項１乃至４のいずれかに記載されている保冷・保温用通い箱及び貯蔵箱により被保冷体又は被保温体を保冷又は保温をする方法であって、該方法は断熱材の前記仕切板で区画された前記収納室に前記被保冷体又は被保温体を収納することを特徴とする保冷・保温用通い箱又は貯蔵箱による被保冷体又は被保温体の保冷保温方法。
【発明の詳細な説明】
【技術分野】
【０００１】
本発明は、被保冷体又は被保温体を長期間冷却又は加温状態に保持して遠隔地への搬送を可能にする簡便構造の保冷・保温用通い箱及び貯蔵箱とこの箱を用いた保冷又は保温方法に関する。
【背景技術】
【０００２】
被保冷体や被保温体を生産地から消費地に搬送及び貯蔵する場合、その鮮度保持のための保冷温手段が従来より色々と開示されている。その中で簡便の手段として通い箱及び貯蔵箱が採用され、この通い箱及び貯蔵箱内に被保冷体又は被保温体をケース内に収納して目的地に搬送及び貯蔵する手段が従来より広く採用されている。この箱の１つとして、例えば、「特許文献１」の如きものがある。
【特許文献１】実開昭５５−６９０８３号（図１）
【発明の開示】
【発明が解決しようとする課題】
【０００３】
「特許文献１」の「実開昭５５−６９０８３号」の「保温ケース」は保温ケース本体（４）に蓄（３）を被せたものからなり、この内部に被保温体を入れるものからなると思われるがその詳細構造は開示されていない。
一般にこの「特許文献１」のような「ケース」の場合には通常図２に示すような保冷手段が採用されているものである。
【０００４】
図３において、「特許文献１」に示したような密閉体のケース本体１′内には被保冷体６が収納され、その上方の空間部７には蓄冷剤５ａが被保冷体６に接して配設される。この蓄冷剤５ａの存在により被保冷体６は冷却状態に保持されるが、蓄冷剤５ａからは融解潜熱が発せられ、例えば、蓄冷剤５ａが氷の場合は訳８０カロリ／ｃｍ３の冷熱が放出されるが実際に保冷物に接しており、このため被保冷体６の冷却負荷を必要以上消費させることになって必要以上の冷却熱を失うことになり、短時間に次第に冷却効果が低下し、長期保存に適さない。また、完熟さくらんぼの冷却が過大であると腐敗を促進する問題が生じている。
【０００５】
本発明は、以上の問題点を解決すべく発明されたものであり、冷温機関を使用せず極めて簡便な手段により長時間の保冷や保温を可能とし、遠隔地にまで新鮮な生産物を送ることができる保冷・保温用通い箱及び貯蔵箱及び該箱による被保冷体又は被保温体の保冷又は保温方法を提供することを目的とする。
【課題を解決するための手段】
【０００６】
本発明は、以上の目的を達成するために、請求項１の発明は、搬送される被保冷体又は被保温体と保冷剤又は保温剤とを夫々に収納する通い箱及び貯蔵箱であって、該通い箱及び貯蔵箱は、開閉可能の密閉のケースからなり、前記被保冷体又は被保温体を収納する室とこれ等の冷却又は加温を行う前記保冷剤又は保温剤を収納する室とを画成する断熱材の仕切板が前記ケースの内部に配設されることを特徴とする。
【０００７】
また、請求項２の発明は、前記保冷剤が０℃以下で融解潜熱をもつ蓄冷剤（氷の利用も入る）からなり、前記保温剤が０℃以上で融解潜熱をもつ蓄温剤からなることを特徴とする。
【０００８】
また、請求項３の発明は、前記保冷・保温用通い箱及び貯蔵箱は、全体が断熱材から形成されることを特徴とする。
【０００９】
また、請求項４の発明は、断熱材の前記仕切板には適度の冷温を伝える薄板材又は小孔が形成されることを特徴とする。
【００１０】
また、請求項５の発明は、請求項１乃至４のいずれかに記載されている保冷・保温用通い箱及び貯蔵箱により被保冷体又は被保温体を保冷又は保温をする方法であって、該方法は断熱材の前記仕切板で区画された前記収納室に前記被保冷体又は被保温体を収納することを特徴とする。
【発明の効果】
【００１１】
本発明の請求項１の保冷・保温用通い箱及び貯蔵箱によれば、密閉ケースが断熱材による仕切室により２室に画成され被保冷体又は被保温体と蓄冷剤又は蓄温剤とが直接接触しない状態に保持され必要以上の保冷熱や保温熱を付与しない構造とするため融解潜熱が直接被保冷体や被保温体に作用せず、比較的長い時間にわたり被保冷体や被保温体の冷温状態を保持することができる。なお、この発明はケース内を断熱材で画成する比較的簡便の構造からなり、安価に実施することができ、遠隔地への生産物の搬送の幅を大きく広げることができる。また、蓄冷剤は被保冷温体に支障なく容易に交換することができる。
【００１２】
また、請求項２の保冷・保温用通い箱及び貯蔵箱によれば、冷却と加温との蓄冷剤と蓄温剤との区画位置を０℃とすることにより、通常の被保冷体や被保温体の多くに適用可能となり、利用範囲を大きく広げることができる。
【００１３】
また、請求項３の保冷・保温用通い箱及び貯蔵箱によれば、箱全体が断熱材からなるため大きな断熱効果を上げることができる。
【００１４】
また、請求項４の保冷・保温用通い箱及び貯蔵箱によれば、仕切板の厚さの適宜調節や仕切板に小孔を形成することで冷却又は加温の程度を調整することができる。
【００１５】
また、請求項５によれば、被保冷体又は被保温体を保冷剤又は保温剤と区画した室に収納するため確実な保冷又は保温を行うことができる。
【発明を実施するための最良の形態】
【００１６】
以下、本発明の保冷・保温用通い箱及び貯蔵箱の実施の形態を図面を参照して詳述する。図１は本発明の保冷・保温用通い箱及び貯蔵箱１００の一実施例を示すものであり、この実施例では冷温処理の内、保冷に関する場合について開示しているものであり、保温についてもほぼ同様の構成からなるが、この件は後に補促説明を行う。
【実施例１】
【００１７】
図１においてケース本体１は全体として断熱材からなる密閉ケースからなるが、詳細には下側ケース１ａとこの上に着脱可能に被せられる上側ケース１ｂ（蓄体）とからなる。なお、上側ケース１ｂには上蓋１ｃが開閉可能に嵌め込まれている。なお、上側ケース１ｂの下方側には本発明の主要要素である仕切板２が着脱可能に設けられているが、その着脱機構は公知技術が適用される。ケース本体１は、例えば、発泡スチロールやポリスチロール等の断熱材からなり、仕切板２も断熱材からなり、発泡スチロールやポリスチロールであってもよい。
【００１８】
ケース本体１は上側ケース１ｂで下側ケース１ａを閉止した状態で上室３と下室４を形成する。即ち、上室３は仕切板２で仕切られた上側ケース１ｂに形成され、下室４は仕切板２で仕切られた下側ケース１ａ内に形成される。
【００１９】
上室３内には、保冷剤５が収納され、下室４内には保冷の対象である被保冷体６が夫々収納される。なお、保冷剤５としては各種のものが適用されるが１つの実施例としては０℃以下の融解潜熱をもつ蓄冷剤５ａ、例えば、アイスノンやパック付の氷やブラインやエチレングリエール等の寒冷剤等が使用される。なお、被保冷体６としては任意のものでよい。
【００２０】
以上の構成により、被保冷体６は断熱材の仕切板２を介して蓄冷剤５ａと接することになる。このため、蓄冷剤５ａのもつ潜熱は直接被保冷体６に過剰熱を与えることなく作用するので、被保冷体６は低温の状態を長時間保持することになる。即ち、仕切板２を介するという簡便な構造で被保冷体６の保冷時間をかなり延長させることができる。
【００２１】
１つの例として被保冷体が山形産の完熟さくらんぼを用いた場合、従来では搬送は鹿児島までが限度であったものが沖縄まで搬送しても通常の新鮮な状態に保冷されていることが実証されている。
【実施例２】
【００２２】
図２は本発明の別の実施例を示すものである。この保冷・保温用通い箱及び貯蔵箱１００Ａは図１に示した保冷・保温用通い箱及び貯蔵箱１００と全体構造はほぼ同一であり仕切板２に小孔８を設けた点のみ相違する。この小孔８を設けることにより保冷状態が緩和され、適所に適用して効果を上げることができる。
【００２３】
以上の「実施例」は保冷についてであるが、上室３に保温剤を収納し、下室４に被保温体を収納することにより、被保温体の温度上昇が緩和され前記とほぼ同様の保温効果を上げることができる。なお、この場合、保温剤として０℃以上の融解潜熱をもつ蓄温剤が一例として適用されるが、勿論これに限定するものではない。
【００２４】
以上のように、本発明は、仕切板２を用いて保冷剤や保温剤を断熱室に保留し断熱材を介して必要以上の熱を与えず、緩やかな保持熱を介して保冷温を保つと言う簡便な手段により、被保冷体や被保温体を従来に較べて長時間保冷又は保温することができ、極めて大きな効果を上げることができると共に簡便，安価に実施でき、広範囲の市場に適用可能であることが挙げられる。また、保冷剤５や蓄冷剤５ａは上側ケース１ｂに嵌め込まれている上蓋１ｃを開放することにより被冷温体に関係なく容易に交換できる。
【００２５】
なお、以上の説明は１つの実施例であり、同一技術的範疇のものが適用されることは勿論である。
【産業上の利用可能性】
【００２６】
本発明の保冷・保温用通い箱及び貯蔵箱は、保冷や保温のためにケース内に収納されて搬送及び貯蔵されるすべての被保冷体や被保温体に適用され、その利用範囲は極めて広い。
【図面の簡単な説明】
【００２７】
【図１】本発明の保冷・保温用通い箱及び貯蔵箱の一実施例の構造を示す断面図。
【図２】本発明の保冷・保温用通い箱及び貯蔵箱の他の実施例の構造を示す断面図。
【図３】従来の通い箱及び貯蔵箱の一例の構造を示す断面図。
【符号の説明】
【００２８】
１      ケース本体
１ａ    下側ケース
１ｂ    上側ケース
１ｃ    上蓋
２      仕切板
３      上室
４      下室
５      保冷剤
５ａ    蓄冷剤
６      被保冷体
７      空間部
８      小孔
１００  保冷・保温用通い箱及び貯蔵箱
【図１】
2010120673.tif 000003
【図２】
2010120673.tif 000004
【図３】
2010120673.tif 000005